(57)【要約】【課題】  本発明は釣り用バッグに係り、バッグ本体の収納口を開閉する外蓋と内蓋を備えた釣り用バッグに改良を加え、外蓋だけを開けたり、外蓋と共に内蓋を開ける作業を選択して容易に行うことができる釣り用バッグを提供することを目的とする。【解決手段】  請求項１に係る発明は、上部に収納口が開口するバッグ本体と、該収納口を開閉可能な外蓋と内蓋とを備えた釣り用バッグに於て、前記内蓋の少なくとも正面側に、前記バッグ本体の上部外周を覆う垂下片を設けると共に、前記外蓋に、該内蓋の垂下片に着脱自在に係合する係合部材を設けたことを特徴とする。  そして、請求項２に係る発明は、請求項１に記載の釣り用バッグに於て、前記外蓋と内蓋は、その一側側がバッグ本体に対し回動して開閉するように取り付けられていることを特徴とする。【選択図】    図４
2008245529.tif 000002
【特許請求の範囲】
【請求項１】
上部に収納口が開口するバッグ本体と、該収納口を開閉可能な外蓋と内蓋とを備えた釣り用バッグに於て、
前記内蓋の少なくとも正面側に、前記バッグ本体の上部外周を覆う垂下片を設けると共に、前記外蓋に、該内蓋の垂下片に着脱自在に係合する係合部材を設けたことを特徴とする釣り用バッグ。
【請求項２】
前記外蓋と内蓋は、その一側側がバッグ本体に対し回動して開閉するように取り付けられていることを特徴とする請求項１に記載の釣り用バッグ。
【請求項３】
前記外蓋と内蓋は、同じ一側側がバッグ本体に対し回動して開閉するように取り付けられていることを特徴とする請求項２に記載の釣り用バッグ。
【請求項４】
前記内蓋は、上方側に収納部を有していることを特徴とする請求項１乃至請求項３のいずれか１項に記載の釣り用バッグ。
【請求項５】
上部に収納口が開口するバッグ本体と、該収納口を開閉可能な外蓋と内蓋とを備えた釣り用バッグに於て、
前記内蓋に、前記バッグ本体に着脱自在に係合する係合部材を設け、
前記外蓋に、該内蓋に着脱自在に係合する係合部材を設けると共に、
前記内蓋に設けた係合部材と外蓋に設けた係合部材は、内蓋と外蓋を閉じた状態で夫々の係合部材の係合を解除する操作部を有することを特徴とする釣り用バッグ。
【発明の詳細な説明】
【技術分野】
【０００１】
本発明は、釣具等を収納して釣場に持ち運ぶ釣り用バッグに関する。
【背景技術】
【０００２】
従来から釣り用バッグは、釣具等を収納する容器として使用されており、多くの釣り用バッグは、柔軟で防水性を有する合成樹脂シートで上部に収納口が開口する箱状のバッグ本体（容器本体）が形成されて、当該収納口全体を蓋体で開閉可能に覆った構造が一般的である。
そして、釣具等を収納した釣り用バッグを釣場に持ち運び、必要に応じて釣具等を取り出し、不要となった物を釣り用バッグ内に戻すこととなるが、従来、この種の釣り用バッグには、バッグ本体の収納口を開閉する外蓋と内蓋を備えたものが知られており、外蓋と内蓋を設けることで、例えば、使用して汚れたり濡れたりした釣具をバッグ本体の中に入れた後、外蓋と内蓋の間に汚れていない他の釣具を収納して携帯することができる。
【０００３】
しかし、このような釣り用バッグは、外蓋を開けてから更に内蓋を開くという２度の動作が必要となる。
そこで、特許文献１には、図９に示すように外蓋１の下面側と内蓋３の上面側に夫々面ファスナー５，７を取り付けた釣り用バッグ９が開示されており、外蓋１と内蓋３とを面ファスナー５，７で接合するとこれらを一度に開閉でき、また、接合された外蓋１と内蓋３を離間する方向に引き離せば、これらが分離するようになっている。
【０００４】
そして、一方の面ファスナー７は折り畳み可能に取り付けられており、面ファスナー７を折り畳んで面ファスナー７のファスナー面を隠蔽すると、外蓋１と内蓋３が接合不能となって外蓋１と内蓋３を別々に開閉することができるようになっている。
【特許文献１】特開２００３−２５９７８４号公報
【発明の開示】
【発明が解決しようとする課題】
【０００５】
しかし、前記釣り用バッグ９は、外蓋１と内蓋３を面ファスナー５，７で接合したり接合を解除し、また、面ファスナー７を折り畳んで外蓋１と内蓋３を接合不能とするが、実釣時にこれらの作業は面倒である。
また、外蓋１と内蓋３との間に釣具等を収納した場合、面ファスナー５，７同士の接合がし難く、更に、外蓋１と内蓋３との間に収納できる釣具の量も限られてしまう欠点がある。
【０００６】
そして、外蓋１と内蓋３を一度接合するとこれらが共に開閉するため、外蓋１だけを開けたり、外蓋１と共に内蓋３を開ける操作を選択して容易に行うことができなかった。
本発明は斯かる実情に鑑み案出されたもので、バッグ本体の収納口を開閉する外蓋と内蓋を備えた釣り用バッグに改良を加え、外蓋だけを開けたり、外蓋と共に内蓋を開ける作業を選択して容易に行うことができる釣り用バッグを提供することを目的とする。
【課題を解決するための手段】
【０００７】
斯かる目的を達成するため、請求項１に係る発明は、上部に収納口が開口するバッグ本体と、該収納口を開閉可能な外蓋と内蓋とを備えた釣り用バッグに於て、前記内蓋の少なくとも正面側に、前記バッグ本体の上部外周を覆う垂下片を設けると共に、前記外蓋に、該内蓋の垂下片に着脱自在に係合する係合部材を設けたことを特徴とする。
そして、請求項２に係る発明は、請求項１に記載の釣り用バッグに於て、前記外蓋と内蓋は、その一側側がバッグ本体に対し回動して開閉するように取り付けられていることを特徴とし、請求項３に係る発明は、請求項２に記載の釣り用バッグに於て、前記外蓋と内蓋は、同じ一側側がバッグ本体に対し回動して開閉するように取り付けられていることを特徴とする。
【０００８】
また、請求項４に係る発明は、請求項１乃至請求項３のいずれか１項に記載の釣り用バッグに於て、前記内蓋は、上方側に収納部を有していることを特徴とする。
そして、請求項５に係る発明は、上部に収納口が開口するバッグ本体と、該収納口を開閉可能な外蓋と内蓋とを備えた釣り用バッグに於て、前記内蓋に、前記バッグ本体に着脱自在に係合する係合部材を設け、前記外蓋に、該内蓋に着脱自在に係合する係合部材を設けると共に、前記内蓋に設けた係合部材と外蓋に設けた係合部材は、内蓋と外蓋を閉じた状態で夫々の係合部材の係合を解除する操作部を有することを特徴とする。
【発明の効果】
【０００９】
各請求項に係る発明によれば、従来に比し、外蓋だけの開放または外蓋と内蓋の同時開放の操作を選択して容易に行うことが可能となった。
そして、請求項４に係る発明によれば、従来に比し内蓋の収納部により多くの釣具が収納できると共に、該収納部に収納した釣具の存在によって外蓋と内蓋の同時開放に支障を来す虞もない。
【００１０】
更に、請求項５に係る発明によれば、外蓋だけの開放または外蓋と内蓋の同時開放の操作を選択して容易に行うことができ、外蓋と内蓋を閉じた時、夫々に設けた係合部材で不用意な開閉が防止される。
【発明を実施するための最良の形態】
【００１１】
以下、本発明の実施形態を図面に基づいて詳細に説明する。
図１乃至図８は請求項１乃至請求項５に係る釣り用バッグの一実施形態を示し、図中、１１はエチレン酢酸ビニルやポリウレタン等の合成樹脂シート１３で形成された防水性を有するバッグ本体で、図１及び図２に示すようにバッグ本体１１は、底部１５と４つの側壁部１７，１９，２１，２３とでボックス状に形成されて内部を収納部とし、上部に収納口２５が開口している。
【００１２】
そして、前記収納口２５の周縁部、即ち、バッグ本体１１の正面側と背面側の側壁部１７，２１と左右の側壁部１９，２３を構成する合成樹脂シート１３の上部は、金属や合成樹脂で形成された平面視矩形状のフレーム２７で外側に折り返されて、夫々の折返し片２９が、各側壁部１７，１９，２１，２３の外側にウエルダ加工等によって接合されている。
【００１３】
従って、収納口２５の周縁部は材料自体の特性によって可撓性，柔軟性を有すると共に、フレーム２７によってバッグ本体１１の強度アップと収納口２５の形状保持が図られている。
そして、図２に示すように背面側の側壁部２１の折返し部３１に、収納口２５を開閉する内蓋３３が可撓性を有する合成樹脂シートのヒンジ部材３５を介して連結され、更に、収納口２５を閉塞する内蓋３３の上方からバッグ本体１１の収納口２５を覆う外蓋３７が、同じく可撓性を有する合成樹脂シートのヒンジ部材３９を介して背面側の側壁部２１の上部外周に連結されている。
【００１４】
内蓋３３と外蓋３７はバッグ本体１１と同一材料で形成されている。そして、図２乃至図４に示すように内蓋３３は、底部４１と該底部４１の周縁部に沿って上方に突出する４つの周壁部４３，４５，４７，４９とでバッグ本体１１の収納口２５に対応した皿状に形成されており、背面側の周壁部４７とバッグ本体１１（折返し部３１）とが前記ヒンジ部材３５で連結されている。そして、４つの周壁部４３，４５，４７，４９で囲繞された底部４１の上部が、小物の釣具類を収納する収納部５１となっている。
【００１５】
また、図２乃至図４に示すように内蓋３３の正面側の周壁部４３に、バッグ本体１１の上部外周を覆う垂下片５３が該周壁部４３と同一の肉厚で一体形成されている。
図示するように垂下片５３は、前記周壁部４３の左右の幅寸法全体に亘って断面逆Ｊ字状に形成されており、図３に示すように内蓋３３で収納口２５を閉じた際に、垂下片５３は、側壁部１７側の折返し片２９を隠すように該折返し片２９よりやや長尺に形成されている。そして、図２に示すように、垂下片５３と周壁部４３とで形成される断面Ｕ字状の係合部５５に側壁部１７側の上部の折返し部（開口縁部）５７が係合して、収納口２５を閉塞する内蓋３３の保持が図られており、斯様に係合部５５に折返し部５７が係合して収納口２５が内蓋３３で閉塞された際に、４つの周壁部４３，４５，４７，４９の上縁部と収納口２５の開口縁部とが一致するように、周壁部４３，４５，４７，４９の高さが設定されている。
【００１６】
尚、本実施形態は、周壁部４３に係合部５５を設けてこれを側壁部１７の折返し部５７に係合させるように構成したが、更に左右の周壁部４５，４９に同様の係合部を形成し、これらをバッグ本体１１の左右の側壁部１９，２３の折返し部（開口縁部）１２，２２に係合可能として、内蓋３３がバッグ本体１１の収納口２５により確実に保持されるようにしてもよい。
【００１７】
そして、図３に示すように前記垂下片５３の中央に、正面視矩形状の操作体５９が下方へ突出するように一体形成されており、その裏面側に雄型面ファスナー（係合部材）６１が貼着され、該雄型面ファスナー６１に対向して側壁部１７に雌型面ファスナー（係止部材）６３が貼着されている。
図５に示すように前記操作体５９は矢印方向（バッグ本体１１の外方）へ可撓性を有しており、該操作体５９を矢印方向へ指で撓ませて折り曲げ操作して雄型面ファスナー６１と雌型面ファスナー６３との係合状態を解除した後、図６の如く該操作体５９を摘んで折返し部５７と係合部５５との係合を解除し乍ら内蓋３３を持ち上げると、収納口２５が開放するようになっている。
【００１８】
一方、図１に示すように、内蓋３３の上方からバッグ本体１１の収納口２５を覆う外蓋３７の周縁部には、外蓋３７によって収納口２５を閉じた際にバッグ本体１１の上部外周を覆うスカート部６５が、該外周に沿って下方に向けて延設されており、背面側のスカート部６５と前記側壁部２１の上部外周とが前記ヒンジ部材３９で連結されている。
そして、図１に示すように内蓋３３と外蓋３７を閉じた状態で、外蓋３７の正面側のスカート部６５（ヒンジ部材３９の反対側）の中央から、内蓋３３の垂下片５３に設けた操作体５９が下方に突出しているが、該操作体５９を挟んで外蓋３７の正面側のスカート部６５の左右に、夫々、上下方向に設けた２本の切欠き６７に挟まれて正面視矩形状の操作片６９が設けられている。
【００１９】
これらの操作片６９は、収納口２５を覆う外蓋３７の保持部材として機能すると共に、外蓋３７を開閉させる操作部材として機能するもので、図１乃至図４に示すようにその裏面側に雄型面ファスナー（係合部材）７１が貼着され、該雄型面ファスナー７１に対向して垂下片５３の正面側に雌型面ファスナー（係止部材）７３が貼着されている。
更に、図１に示すように操作片６９の上部には、夫々、折り曲げ部７５が切欠き６７間に亘って設けられており、図７の如く操作片６９は、該折り曲げ部７５に沿って矢印方向（バッグ本体１１の外方）へ折り曲げることができるようになっている。そして、図１に示すように、内蓋３３の上方から外蓋３７でバッグ本体１１の収納口２５を覆って雄型面ファスナー７１と雌型面ファスナー７３を接合すると、収納口２５を覆う外蓋３７を保持することができるように構成されている。
【００２０】
そして、図３の如く垂下片５３と周壁部４３とで形成される断面Ｕ字状の係合部５５に側壁部１７側の折返し部５７を係合させ、雄型面ファスナー６１と雌型面ファスナー６３とを接合させて係合して収納口２５を内蓋３３で閉塞した後、図１及び図２に示すように、内蓋３３の上方から外蓋３７でバッグ本体１１の収納口２５を覆って雄型面ファスナー７１と雌型面ファスナー７３を接合させて係合すると、釣り用バッグ７７は内蓋３３と外蓋３７とで完全に閉じられる。
【００２１】
而して、斯かる状態で、図７の如く折り曲げ部７５に沿って両操作片６９を、夫々、矢印方向へ折り曲げ操作をして雄型面ファスナー７１と雌型面ファスナー７３の係合状態を解除した後、両操作片６９を摘んで、図８の如くヒンジ部材３９を回転中心に外蓋３７を矢印方向へ持ち上げると、図２の如く外蓋３７が完全に開いて内蓋３３の上部の収納部５１が現れ、更に、斯かる状態で操作体５９を指で撓ませて雄型面ファスナー６１と雌型面ファスナー６３との係合状態を解除した後、図４の如く該操作体５９を介して折返し部５７と係合部５５との係合を解除し乍ら内蓋３３を持ち上げると、収納口２５が完全に開放されるようになっている。
【００２２】
また、図１及び図２の如く内蓋３３と外蓋３７とで収納口２５が完全に閉じられた状態で、図５及び図６に示すように操作体５９を指で矢印方向へ撓ませて雄型面ファスナー６１と雌型面ファスナー６３との係合状態を解除した後、該操作体５９を介して折返し部５７と係合部５５との係合を解除し乍ら、ヒンジ部材３５を回転中心に内蓋３３を矢印方向へ持ち上げると、雄型面ファスナー７１と雌型面ファスナー７３が接合したまま外蓋３７が内蓋３３と共に開いて、図６の如く収納口２５が完全に開放されるようになっている。
【００２３】
そして、内蓋３３と外蓋３７の回転中心となるヒンジ部材３５，３９は共に内蓋３３と外蓋３７の背面側に設けられ、また、バッグ本体１１の背面側の側壁部２１（上部の折返し部５５側）に取り付けられているため、内蓋３３と外蓋３７は共に同じ方向に回動して良好に開閉する。
その他、図１中、７９は側壁部１９，２３間に架け渡したショルダーベルトである。
【００２４】
本実施形態に係る釣り用バッグ７７はこのように構成されているから、バッグ本体１１内や内蓋３３の収納部５１に釣具等を収納して、図１及び図２の如く釣り用バッグ７７を内蓋３３と外蓋３７とで完全に閉じて釣場に携帯した後、例えば内蓋３３の収納部５１に収納した釣具を取り出す際には、図７の如く折り曲げ部７５に沿って両操作片６９を、夫々、矢印方向へ折り曲げて雄型面ファスナー７１と雌型面ファスナー７３の接合を解除した後、両操作片６９を摘んで、図８の如くヒンジ部材３９を回転中心に外蓋３７を矢印方向へ持ち上げれば、図２の如く内蓋３３の収納部５１が現れて釣具が取り出せる。
【００２５】
このとき、折返し部５７に内蓋３３側の係合部５５が係合し、且つ雄型面ファスナー６１と雌型面ファスナー６３が接合しているため、内蓋３３は収納口２５を閉塞したままである。
また、斯かる状態で、図５と同様、操作体５９を指で撓ませて雄型面ファスナー６１と雌型面ファスナー６３との係合状態を解除した後、図４の如く該操作体５９を介して折返し部５７と係合部５５との係合を解除し乍ら内蓋３３を持ち上げると、収納口２５が完全に開放されて、バッグ本体１１内に収納した釣具が取り出せる。
【００２６】
そして、内蓋３３を閉じるには、操作体５９を介して係合部５５を折返し部５７に係合させて雄型面ファスナー６１と雌型面ファスナー６３を接合させればよく、この後、外蓋３７を閉じるには、図２に示すように該外蓋３７で内蓋３３を上方から覆って、雄型面ファスナー７１と雌型面ファスナー７３を接合すればよい。
また、図１の如く内蓋３３と外蓋３７とで収納口２５が完全に閉じられた状態で、バッグ本体１１内に収納した釣具を取り出すには、図５及び図６の如く操作体５９を指で矢印方向へ撓ませて雄型面ファスナー６１と雌型面ファスナー６３との係合状態を解除した後、該操作体５９を介して折返し部５７と係合部５５との係合を解除し乍ら、ヒンジ部材３５を回転中心に内蓋３３を矢印方向へ持ち上げれば、雄型面ファスナー７１と雌型面ファスナー７３が接合したまま外蓋３７が内蓋３３と共に開いて、収納口２５が完全に開放する。
【００２７】
そして、収納口２５を閉めるには、内蓋３３を戻して図２の如く操作体５９を介して係合部５５を折返し部５７に係合させて、雄型面ファスナー６１と雌型面ファスナー６３を接合させればよく、この一連の作業時に外蓋３７は雄型面ファスナー７１と雌型面ファスナー７３とが接合して内蓋３３から外れることがない。
このように本実施形態によれば、内蓋３３と外蓋３７とで収納口２５が完全に閉じられているとき、操作片６９に手を掛ければ外蓋３７だけを開けることができ、この後、操作体５９に手を掛けて内蓋３３を開けることができると共に、内蓋３３と外蓋３７とで収納口２５が完全に閉じられているとき、操作体５９に手を掛ければ外蓋３７と共に内蓋３３を開けることが可能であるから、図９の従来例に比し、外蓋３７だけの開放または外蓋３７と内蓋３３の同時開放の操作を選択して容易に行うことが可能となった。
【００２８】
尚、図１に示すように操作体５９は、内蓋３３と外蓋３７を閉じた状態でスカート部６５の下方に現れるように配しているが、操作体５９が操作できれば、スカート部６５を下方へ延設して操作体５９が正面に見えないように覆ってもよい。
また、本実施形態によれば、図９の従来例に比し、内蓋３３の収納部５１により多くの釣具が収納でき、収納部５１に収納した釣具の存在によって外蓋３７と内蓋３３の同時開放に支障を来す虞もない。
【００２９】
尚、前記実施形態では、内蓋３３と外蓋３７を、可撓性を有する合成樹脂シートのヒンジ部材３５，３９を介してバッグ本体１１に取り付けたが、回動軸からなるヒンジ部材を用いてもよい。
また、ヒンジ部材を用いなくても、内蓋３３と外蓋３７をバッグ本体１１に回動して収納口２５を開閉できるように直接取り付けてもよい。
【００３０】
このように内蓋３３と外蓋３７は、バッグ本体１１に対しこれらの回動部を介して回動可能に取り付けられ開閉できればよい。
更に、内蓋３３と外蓋３７のいずれか一方がバッグ本体１１にこれらの回動部を介して回動自在に取り付けられていれば、他方の蓋を一方の蓋に回動部を介して回動自在に取り付けることで、一方の蓋を介して他方の蓋をバッグ本体１１に対して回動して開閉することができるから、このような構成も、内蓋３３と外蓋３７を回動部を介してバッグ本体１１に取り付けたものとする。
【００３１】
また、係合部材として本実施形態では雄型面ファスナー６１，７１を用いたが、スナップやバックル状の係合部材を用いてもよく、更に操作体５９や操作片６９は回動可能に軸着する等、係合部材に応じて変更することができる。
【図面の簡単な説明】
【００３２】
【図１】請求項１乃至請求項５の一実施形態に係る釣り用バッグの全体斜視図である。
【図２】外蓋と内蓋を閉じた釣り用バッグの断面図である。
【図３】外蓋を開いた釣り用バッグの全体斜視図である。
【図４】外蓋と内蓋を開いた釣り用バッグの全体斜視図である。
【図５】内蓋を開く手順を示す釣り用バッグの断面図である。
【図６】外蓋と内蓋を開いた釣り用バッグの断面図である。
【図７】外蓋を開く手順を示す釣り用バッグの断面図である。
【図８】外蓋を開いた釣り用バッグの断面図である。
【図９】従来の釣り用バッグの全体斜視図である。
【符号の説明】
【００３３】
１１  バッグ本体
１３  合成樹脂シート
１５，４１  底部
１７，１９，２１，２３  側壁部
２５  収納口
２７  フレーム
２９  折返し片
３１，５７  折返し部
３３  内蓋
３５，３９  ヒンジ部材
３７  外蓋
４３，４５，４７，４９  周壁部
５１  収納部
５３  垂下片
５５  係合部
５９  操作体
６１，７１  雄型面ファスナー（係合部材）
６３，７３  雌型面ファスナー（係止部材）
６５  スカート部
６７  切欠き
６９  操作片
７５  折り曲げ部
７７  釣り用バッグ
【図１】
2008245529.tif 000003
【図２】
2008245529.tif 000004
【図３】
2008245529.tif 000005
【図４】
2008245529.tif 000006
【図５】
2008245529.tif 000007
【図６】
2008245529.tif 000008
【図７】
2008245529.tif 000009
【図８】
2008245529.tif 000010
【図９】
2008245529.tif 000011